(57)【要約】      （修正有）【課題】組立式直六面体の照明灯、ボックスやパズルゲーム用として使用することができる。【解決手段】PP発泡シートで構成された第一正四角形シート1、第二正四角形シート1’、第一正三角形シート2、第二正三角形シート2’のうち少なくとも１種以上にて構成され、正四角形シート1,1’には、その各辺の外側に形成された4個の正四角形結合部10と、その各頂点近傍に形成される4個の正四角形結合通孔11とが、正三角形シート2,2’には、その各辺の外側に形成された3個の正三角形結合部20と、その各頂点近傍に形成される3個の正三角形結合通孔21とが具備され、正四角形シート1,1’の正四角形結合部10又は正三角形シート2,2’の正三角形結合部20が、隣に位置された正四角形シート1,1’の正四角形結合通孔11又は正三角形シート2,2’の正三角形結合通孔21に挿入されて多面体が構成される。【選択図】図1
0003101886.tif 000002
【実用新案登録請求の範囲】
【請求項１】
複数個のシートを連結させて多面体を構成する多目的装飾品であって、PP発泡シートで構成された第一正四角形シート、第二正四角形シート、第一正三角形シート、第二正三角形シートのうち少なくとも１種以上にて構成されていて、
前記正四角形シートには、その各辺の外側に形成された4個の正四角形結合部と、その各頂点近傍に形成される4個の正四角形結合通孔とが具備され、前記正三角形シートには、その各辺の外側に形成された3個の正三角形結合部と、その各頂点近傍に形成される3個の正三角形結合通孔とが具備されていて、前記正四角形シートの前記正四角形結合部または前記正三角形シートの前記正三角形結合部が、隣に位置された前記正四角形シートの前記正四角形結合通孔または前記正三角形シートの前記正三角形結合通孔に挿入されて前記多面体が構成される構造であることを特徴とする多目的装飾品。
【請求項２】
前記第二正四角形シートは、該第二正四角形シートの辺の一方の端部側に形成された4個の前記正四角形結合部と、該第二正四角形シートの頂点近傍に形成された4個の前記正四角形結合通孔と、前記第二正四角形シートの中央部に形成された正四角形中央通孔と、該正四角形中央通孔に挿入されるソケットおよび固定具と、前記ソケット及び前記固定具に挿入されて結合される照明灯とで構成されていて、
前記第二正三角形シートは、該第二正四角形シートの辺の一方の端部側に形成された3個の前記正三角形結合部と、該第二正三角形シートの頂点近傍に形成された3個の前記正三角形結合通孔と、前記第二正三角形シートの中央部に形成された正三角形中央通孔と、該正三角形中央通孔に挿入されるソケットおよび固定具と、前記ソケット及び前記固定具に挿入されて結合される照明灯とで構成されていることを特徴とする請求項1に記載の多目的装飾品。
【請求項３】
前記正四角形結合部及び前記正三角形結合部は、前記四角形シート及び前記正三角形シートの辺の一方の端部側に突出されて形成されていて、上部が円形形状で突出された頭部と、該頭部の両側面において外側に向けて楕円形形状に突出し、かつ該頭部の円形形状より大きく突出してなる頭側面部と、前記頭部の下部で両側面が凹状にくぼんでなるネック部と、該ネック部の下部で両側面が楕円形形状の長軸方向に広がってなるように形成された総合胴体部とで構成されていることを特徴とする請求項１に記載の多目的装飾品。
【考案の詳細な説明】
【技術分野】
【０００１】
本考案は多目的装飾品に関するものであり、もう少し詳細に説明すると、三角形、四角形のシートを利用して組立式正六面体の照明灯、ボックスやパズルゲーム用として使用することができる多目的装飾品に関するものである。
【背景技術】
【０００２】
一般的に、三角形や四角形を利用して組立式ボックスを使用するか、あるいはパズルゲーム等の用途にあうように利用してきた。
【０００３】
特に、箱や装飾ダンスは実生活で使われない所がない程度で必須不可欠なものであり、用途によって引越荷物を移す場合に使用したり、家庭で物を整理する場合に使用したり、産業現場または農業現場等で生産物品などを受納する場合に使用する等、その用途は全部話せない程度に多様であり、生活環境が急速に発展することによってその必要も急速に増加している趨勢にある。
【０００４】
しかし、従来の組立式箱は単純に物を収納するために開発されたが、組立式箱を構成する材質の発達によって多様な用途で使用されてきた。例えば、大韓民国公開実用新案公報の公開番号第1998-015600号にはヘルメット本体の底部に設置板を設置し、これに電球を設置するためのソケットとボタン型のタッチ式電源スイッチが形成されたヘルメットを利用した装飾用具が記載されている。
【０００５】
また、大韓民国登録実用新案公報の登録番号第20-272046号にはいろいろなカバーを具備して雰囲気によってカバーのもようを変化可能な装飾用照明灯が記述されている。
【０００６】
同公報の登録番号第20-0244329号には立体型の平面パズルと大韓民国公開実用新案公報の公開番号第2001-0092563号には直角二等辺の三角柱を利用した多面体パズルが記述されている。
【０００７】
また、大韓民国登録実用新案公報の登録番号第20-0261423号には六角形面の4面と正三角形面の4面で構成される8面を有する板材を組立てて八面体を製造するデザインボックスが記載されている。
【０００８】
また、大韓民国公開実用新案公報の公開番号第1999-11163号は下板部に連結されて他側の側板を構成するものの、畳むことができるように二重で構成された支持側板部と、前記支持側板部の一端に形成された固定片と、前記下板部の一側に固定片の挿入溝で構成されて前記固定片が前記固定片の挿入溝に挟まれて前記支持側板部が前記下板部に結合具を使用せずに直接固定されることを特徴とする折り畳み式ボックスに関するものである。
【０００９】
前記従来の考案らは収納のための機能として結合構造が相異であり、それによる組立方法が複雑であり、軽量製品である服や果物及びケーキなどを収納して内容物を取り出す瞬間に箱は不必要な存在になるだけでなく、内容物と合わなくて直ちに廃棄されるか、あるいは移動時に体積が大きくて不便な問題点と製造単価が増加されて、組立式箱のみで使用されて実際に使用されない問題がある。
【特許文献１】大韓民国実用新案公開第1998-015600号公報
【特許文献２】大韓民国実用新案第20-272046号公報
【特許文献３】大韓民国実用新案第20-0244329号公報
【特許文献４】大韓民国実用新案公開第2001-0092563号公報
【特許文献５】大韓民国実用新案第20-0261423号公報
【特許文献６】大韓民国実用新案公開第1999-11163号公報
【考案の開示】
【考案が解決しようとする課題】
【００１０】
前記のような問題点を解決するために本考案はポリプロピレンシートを利用して内部に照明灯を挿入させるか、または各種色相のポリプロピレンシートを製作してパズルゲーム用として使用することができ、簡単に正六面体、八面体等で製作して組立式装飾品としても使用できる多目的装飾品を提供することが、本考案がなそうとする技術的課題である。
【課題を解決するための手段及び考案の効果】
【００１１】
前記のような目的を達成しようと本考案は、複数個のシートを連結させて多面体を構成する多目的装飾品であって、PP発泡シートで構成された第一正四角形シート1、第二正四角形シート1’、第一正三角形シート2、第二正三角形シート2’のうち少なくとも１種以上にて構成されていて、前記正四角形シート1,1’には、その各辺の外側に形成された4個の正四角形結合部10と、その各頂点近傍に形成される4個の正四角形結合通孔11とが具備され、前記正三角形シート2,2’には、その各辺の外側に形成された3個の正三角形結合部20と、その各頂点近傍に形成される3個の正三角形結合通孔21とが具備されていて、前記正四角形シート1,1’の前記正四角形結合部10または前記正三角形シート2,2’の前記正三角形結合部20が、隣に位置された前記正四角形シート1,1’の前記正四角形結合通孔11または前記正三角形シート2,2’の前記正三角形結合通孔21に挿入されて前記多面体が構成される構造であることを特徴とする多目的装飾品に関するものである。
【００１２】
本考案はその設計製作において簡便さはもちろん、組立もたやすいために使用者の便利性を極大化して、プラスチックの材質で強度が紙より強いので多用途の収納箱を多段で積載する場合に、その支持力が大きいために安全に物品を収納及び運搬することができ、特にポリプロピレン (PP)発泡シートは点線(圧着して生じた線)を追って容易に折り曲げられ、また解体時に容易に広まる性質があってこのような性質を利用してマジックボックスを考案したものである。
【００１３】
以上のような本考案の目的と別の特徴及び長所などは次ぎに参照する本考案の好適な実施例に対する以下の説明から明確になるであろう。
【００１４】
前記したように本考案は装飾用組立式箱、装飾用照明灯、その他パズル等で使用することができ、外観が美麗で物品を収納して積層して保管するか、あるいは解体して簡便に運搬できる利用者の使用上の効率性を極大化することができる。
【考案を実施するための最良の形態】
【００１５】
以下、図面を参照して詳細に説明すると次の通りである。
図1は本考案の多目的装飾品であるボックス装飾品の詳細図である。図2は本考案の他のボックスの多目的装飾品詳細図である。図3は本考案の多目的装飾品に使用されるシートの詳細図である。図4は本考案の多目的装飾品に使用される他のシートの詳細図である。図5は本考案の多目的装飾品である組立式照明灯の装飾品詳細図である。図6は本考案の組立式照明灯装飾品の分解組立詳細図である。図7及び図8は本考案の組立式照明灯装飾品の組立状態図である。図9及び図10は本考案の多目的装飾品に使用される他のシートの詳細図である。図11及び図12は本考案の多目的装飾品に使用されるシートの組立状態図である。図13及び図14は本考案の多目的装飾品の他の例である。図15ないし図18は本考案の多目的装飾品の写真を図示したものである。
【００１６】
また、図面の符号としては正四角形シート1,1’,1-1,1-2,1-3、正三角形シート2,2’、正四角形結合部10,45,46,47,48,45’,46’,47’,48’,55,56,57,58、正四角形結合通孔11,41,42,43,44,51,52,53,54,41’,42’,43’,44’、正三角形結合部20,34,35,36,34’,35’,36’、正三角形結合通孔21,31,32,33,31’,32’,33’、正四角形中央通孔12、正三角形中央通孔22、ソケット23、固定具24、照明灯25、頭部61、頭側面部62,62’、ネック部63、結合胴体部64を示すものであることが分かる。
【００１７】
構成をみると、本考案の多目的装飾品に使用される正多角形シートは図3に図示されたように、PP発泡シートで構成された正四角形シート1は正四角形各辺の一方の端部側に外側に突出されて形成された4個の正四角形結合部10と、前記正四角形シート1の頂点近傍で該正四角形結合部が挿入されるように形成された4個の正四角形結合通孔11で構成されている。
【００１８】
図8に図示された第二正四角形シート1’は、該第二正四角形シート1’の辺の一方の端部側に形成された4個の前記正四角形結合部10と、該第二正四角形シートの頂点近傍に形成された4個の前記正四角形結合通孔11と、前記第二正四角形シート1’の中央部に形成された正四角形中央通孔12と、該正四角形中央通孔12に挿入されるソケット23および固定具24と、前記ソケット23及び前記固定具24に挿入されて結合される照明灯25とで構成されている。
【００１９】
本考案の多目的装飾品に使用される組立式シートである正三角形シート2は、図4に図示されたように、PP発泡シートで構成されていて、正三角形シート2の正三角形各辺の一方の端部側に突出されて形成された3個の正三角形結合通孔21で構成されている。
【００２０】
図7に図示されたように、前記第二正三角形シート2’は、該第二正四角形シート2’の辺の一方の端部側に形成された3個の前記正三角形結合部20と、該第二正三角形シートの頂点近傍に形成された3個の前記正三角形結合通孔21と、前記第二正三角形シートの中央部に形成された前記正三角形中央通孔22と、該正三角形中央通孔22に挿入されるソケット23および固定具24と、前記ソケット23及び前記固定具24に挿入されて結合される照明灯25とで構成されていて、前記正四角形シート1,1’及び正三角形シート2,2’の結合により多様な形状の多目的装飾品として組立てるものである。
【００２１】
図3に図示されたように、正四角形結合部10及び正三角形結合部20は正四角形シート1,1’及び正三角形シート2,2’の辺の一方の端部側に突出されて形成されていて、正四角形結合部10,45,46,47,48,45’,46’,47’,48’,55,56,57,58及び正三角形結合部20,34,35,36,34’,35’,36’は、前記四角形シート1,1’及び前記正三角形シート2,2’の辺の一方の端部側に突出されて形成されていて、上部が円形形状で突出された頭部61と、該頭部61の両側面において外側に向けて楕円形形状に突出し、かつ該頭部の円形形状より大きく突出してなる頭側面部62,62’と、前記頭部61の下部で両側面が凹状にくぼんでなるネック部63と、該ネック部63の下部で両側面が楕円形形状の長軸方向に広がってなるように形成された総合胴体部64とで構成されている。
【００２２】
組立は前記正四角形結合部10,45,46,47,48,45’,46’,47’,48’,55,56,57,58及び正三角形結合部20,34,35,36,34’,35’,36’の頭部61を滑らせて、正四角形結合通孔11,41,42,43,44,51,52,53,54,41’,42’,43’,44’及び正三角形結合通孔21,31,32,33,31’,32’,33’に挿入されると頭側面部62,62’によりかたく通孔部に結合されるものである。
【００２３】
また、前記頭部61に比べて前記正四角形結合通孔11は直径の大きさが同一であるか、あるいは若干小さいが前記頭部61は前記正四角形結合通孔11から離脱が容易でないようにするものである。
【００２４】
本考案によれば、図1に図示されたように6個の正四角形シート1を組立てて構成された組立式ボックス装飾品と、図2のように1個の正四角形シート1と4個の正三角形シート2で構成されたピラミッド形状の組立式ボックス装飾品と、図5のように3個の正四角形シート1と1個の正三角形シート2と1個の第二正三角形シート2’で構成された組立式照明灯の装飾品と、図13のように6個の正四角形シート1と2個の正三角形シート2で構成されたピラミッドもようの組立式ボックス装飾品で構成された多目的装飾品、等を構成することができる。
【００２５】
図14は多目的装飾品のうち容器を図示したものであり、図11ないし図12は多目的装飾品を組立てる過程を図示したものである。図15ないし図18は本考案の多目的装飾品の写真を示すものである。
【００２６】
組立及び結合方法を詳細に説明すると、まず図3の正四角形シート1と図4の正三角形シート2の枠に形成された正四角形結合部10及び正三角形結合部20を、点線を追って垂直で折り畳んだ後に、前記垂直で形成された正四角形結合部10及び正三角形結合部20を前記正四角形シート1及び正三角形シート2の各頂点近傍に形成された正四角形結合通孔11及び正三角形結合通孔21に挿入させて多様な模様で結合するものである。
【００２７】
図6を参考にしてより詳細に説明すると、第一正四角形シート1三つを準備して、第一正三角形シート2と第二正三角形シート2’を各々一個ずつ準備した次、図7に図示されたように右側面に形成された第二正三角形シート2’の正三角形中央通孔22に電線が連結されたソケット23と固定具24を利用して照明灯25を設置した次に、第二正三角形シート2’の下部にあたる辺の一方の端部側に形成された正三角形結合部34の頭部を底に形成された第一正四角形シート1-2の前面右側に形成された正四角形結合通孔51に挿入させて、第二正三角形シート2’の左側にあたる辺の一方の端部側に形成された正三角形結合部35の頭部を左側面に傾斜するように形成された第一正四角形シート1-1の上部右側の頂点近傍に形成された正四角形結合通孔41に挿入させて連結し、第二正三角形シート2’の右側にあたる辺の一方の端部側に形成された正三角形結合部36を右側面に傾斜するように形成された第一正四角形シート1-3の下部右側の頂点近傍に形成された正四角形結合通孔43’に挿入させて連結する。
【００２８】
前面に形成された第一正四角形シート1-1の右側にあたる辺の一方の端部側に形成された正四角形結合部46を右側面に形成された第二正三角形シート2’の左側下段に形成された正三角形結合通孔31に挿入させて連結し、上部にあたる辺の一方の端部側に形成された正四角形結合部45は前面に形成された第一正四角形シート1-3の上部右側の頂点近傍に形成された正四角形結合通孔44’に挿入させて連結する。
【００２９】
左側にあたる辺の一方の端部側に形成された正四角形結合部48は左側に形成された第一正三角形シート2の上部の頂点近傍に形成された正三角形結合通孔32’に挿入させて連結し、下部にあたる辺の一方の端部側に形成された正四角形結合部47は下部に形成された第一正四角形シート1-2の前面左側に形成された正四角形結合通孔52に挿入させて連結する。
【００３０】
左側面に形成された第一正三角形シート2の下部にあたる辺の一方の端部側に形成された正三角形結合部34’の頭部を底に形成された第一正四角形シート1-2の後面左側の頂点近傍に形成された正四角形結合通孔53に挿入させて、第一正三角形シート2の右側にあたる辺の一方の端部側に形成された正三角形結合部35’の頭部を左側面に傾斜するように形成された第一正四角形シート1-3の上部左側の頂点近傍に形成された正四角形結合通孔41’に挿入させて連結して、第一正三角形シート2の左側にあたる辺の一方の端部側に形成された正三角形結合部36’を左側面に傾斜するように形成された第一正三角形シート1-1の下部右側の頂点近傍に形成された正四角形結合通孔43に挿入させて連結する。
【００３１】
前記底に形成された第一正四角形シート1-2の前面にあたる辺の一方の端部側に形成された正四角形結合部56を前面上部に形成された正四角形シート1-1の下部右側の頂点近傍に形成された正四角形結合通孔42に挿入させて連結し、右側にあたる辺の一方の端部側に形成された正四角形結合部55は右側面に形成された第二正三角形シート2’の下部右側の頂点近傍に形成された正三角形結合通孔33に挿入させて連結し、後面にあたる辺の一方の端部側に形成された正四角形結合部58は後面上部に形成された正四角形シート1-3の下部左側に形成された正四角形結合通孔42’に挿入させて連結し、左側にあたる辺の一方の端部側に形成された正四角形結合部57は左側面に形成された正三角形シート2の下部左側に形成された正三角形結合通孔33’に挿入させて連結する。
【００３２】
前記後面に形成された正四角形シート1-3の左側にあたる辺の一方の端部側に形成された正四角形結合部46’を左側面に形成された正三角形シート2の下部右側の頂点近傍に形成された正三角形結合通孔31’に挿入させて連結された下部にあたる辺の一方の端部側に形成された正四角形結合部45’は前面に形成された正四角形シート1-1の上部左側の頂点近傍に形成された正四角形結合通孔44に挿入させて連結し、右側にあたる辺の一方の端部側に形成された正四角形結合部48’は右側に形成された第二正三角形シート2’の上部の頂点近傍に形成された正三角形結合通孔32に挿入させて連結し、下部にあたる辺の一方の端部側に形成された正四角形結合部47’は底に形成された正四角形シート1-3の正四角形結合通孔54に挿入させて連結して製造される多目的装飾品のうち照明灯装飾品を組立てた。
【００３３】
その他、前記のような方法で多様な形状の多目的装飾品を組立てた後の解体は、逆順でするものである。
【００３４】
図1において、上記のように組立てられた多目的装飾品の内部に物を入れて使用した後に、組立てて箱や包装容器として使用できるものである。
【００３５】
以上では本考案を実施例によって詳細に説明したが、本考案は実施例によって限定されず、本考案が属する技術分野において通常の知識を有するものであれば本考案の思想と精神を離れることなく、本考案を修正または変更できるであろう。
【図面の簡単な説明】
【００３６】
【図１】本考案の多目的装飾品であるボックス装飾品の詳細図である。
【図２】本考案の他のボックスの多目的装飾品詳細図である。
【図３】本考案の多目的装飾品に使用されるシート詳細図である。
【図４】本考案の多目的装飾品に使用される他のシート詳細図である。
【図５】本考案の多目的装飾品である組立式照明灯の装飾品詳細図である。
【図６】本考案の組立式照明灯装飾品の分解組立詳細図である。
【図７】本考案の組立式照明灯装飾品組立状態図である。
【図８】同じく、本考案の組立式照明灯装飾品組立状態図である。
【図９】本考案の多目的装飾品に使用される他のシート詳細図である。
【図１０】同じく、本考案の多目的装飾品に使用される第二シート詳細図である。
【図１１】本考案の多目的装飾品に使用されるシートの組立状態図である。
【図１２】同じく、本考案の多目的装飾品に使用されるシートの組立状態図である。
【図１３】本考案の多目的装飾品の他の例である。
【図１４】同じく、本考案の多目的装飾品の他の例である。
【図１５】本考案の多目的装飾品の写真である。
【図１６】同じく、本考案の多目的装飾品の写真である。
【図１７】同じく、本考案の多目的装飾品の写真である。
【図１８】同じく、本考案の多目的装飾品の写真である。
【符号の説明】
【００３７】
1,1’,2,2’  正四角形シート及び正三角形シート
2,2’  正三角形シート
10,45,46,47,48,45’,46’,47’,48’,55,56,57,58  正四角形結合部
11,41,42,43,44,51,52,53,54,41’,42’,43’,44’  正四角形結合通孔
20,34,35,36,34’,35’,36’  正三角形結合部
21,31,32,33,31’,32’,33’  正三角形結合通孔
12  正四角形中央通孔
22  正三角形中央通孔
23  ソケット
24  固定具
25  照明灯
61  頭部
62,62’  頭側面部
63  ネック部
64  結合胴体部
【図１】
0003101886.tif 000003
【図２】
0003101886.tif 000004
【図３】
0003101886.tif 000005
【図４】
0003101886.tif 000006
【図５】
0003101886.tif 000007
【図６】
0003101886.tif 000008
【図７】
0003101886.tif 000009
【図８】
0003101886.tif 000010
【図９】
0003101886.tif 000011
【図１０】
0003101886.tif 000012
【図１１】
0003101886.tif 000013
【図１２】
0003101886.tif 000014
【図１３】
0003101886.tif 000015
【図１４】
0003101886.tif 000016
【図１５】
0003101886.tif 000017
【図１６】
0003101886.tif 000018
【図１７】
0003101886.tif 000019
【図１８】
0003101886.tif 000020